(57)【要約】【課題】記録媒体の記録残容量などが確実に確認できる記録媒体の筐体を提供する。【解決手段】記録媒体１０１を有する筐体１００において、前記記録媒体１０１自体に関する情報あるいは／およびその記録媒体１０１に記録されているデータに関する情報に基づいて音を発生する音発生手段１０２，１０３，１０４を備えたことを特徴とするものである。【選択図】      図１
2004335023.tif 000002
【特許請求の範囲】
【請求項１】
記録媒体を有する筐体において、
前記記録媒体自体に関する情報あるいは／およびその記録媒体に記録されているデータに関する情報に基づいて音を発生する音発生手段を備えたことを特徴とする記録媒体の筐体。
【請求項２】
請求項１記載の筐体において、前記音発生手段が、前記記録媒体自体に関する情報あるいは／およびその記録媒体に記録されているデータに関する情報に基づいて音を発生させるための処理を行なう音発生処理部と、その音を出力する発音部と、前記音発生処理部に音を発生する指示を与える音発生指示部を備えたことを特徴とする記録媒体の筐体。
【請求項３】
請求項２記載の筐体において、前記記録媒体自体に関する情報あるいは／およびその記録媒体に記録されているデータに関する情報を保存する情報保存装置を備えたことを特徴とする記録媒体の筐体。
【請求項４】
請求項２または請求項３記載の筐体において、前記音発生手段あるいは／および前記情報保存装置に給電するための二次電池と二次電池以外の発電装置を備えたことを特徴とする記録媒体の筐体。
【請求項５】
請求項４記載の筐体において、前記発電装置が太陽電池または振ることで発電する発電装置であることを特徴とする記録媒体の筐体。
【請求項６】
請求項２または請求項３記載の筐体において、前記音発生手段あるいは／および前記情報保存装置に給電するための一次電池を備えたことを特徴とする記録媒体の筐体。
【請求項７】
請求項２記載の筐体において、前記音発生指示部が、スイッチ、タッチセンサー、筐体の運動を検出する運動検出装置、指紋読取装置、電波受信装置、所定波長の光を受光する受光素子のうちの少なくとも１つを備えたことを特徴とする記録媒体の筐体。
【請求項８】
請求項７記載の筐体において、前記音発生指示部が指紋読取装置を備え、前記記録媒体自体に関する情報あるいは／およびその記録媒体に記録されているデータに関する情報を保存する情報保存装置を有し、前記指紋読取装置によって読み取られた指紋情報を前記情報保存装置に保存する構成になっていることを特徴とする記録媒体の筐体。
【請求項９】
請求項８記載の筐体において、前記音発生処理部が、前記指紋読取装置によって読み取られた指紋情報が前記情報保存装置に保存されている指紋情報と照合して一致した時に音による表示を行うように構成されていることを特徴とする記録媒体の筐体。
【請求項１０】
請求項７記載の筐体において、前記音発生指示部が複数設けられ、その複数の音発生指示部が動作した時に前記音発生処理部が音による表示を行うように構成されていることを特徴とする記録媒体の筐体。
【請求項１１】
請求項２または請求項３記載の筐体において、前記記録媒体に対するデータの書き込み中に当該記録媒体または前記情報保存装置を監視し、記録残容量が少なくなるかあるいは記録使用容量が多くなると、前記音発生処理部が音を発生するように構成されていることを特徴とする記録媒体の筐体。
【請求項１２】
請求項１１記載の筐体において、前記音発生処理部が、前記記録残容量あるいは記録使用容量に応じて異なった音を発生するように構成されていることを特徴とする記録媒体の筐体。
【請求項１３】
請求項２または請求項３記載の筐体において、前記音発生処理部が、前記記録媒体または前記情報保存装置から記録媒体内に記録されたデータの記録時期情報を取得し、記録時期に応じて異なった音を発生するように構成されていることを特徴とする記録媒体の筐体。
【請求項１４】
請求項２または請求項３記載の筐体において、前記音発生処理部が、前記記録媒体または前記情報保存装置から記録媒体自体の状態の情報を取得し、その状態情報に応じて異なった音を発生するように構成されていることを特徴とする記録媒体の筐体。
【請求項１５】
請求項２または請求項３記載の筐体において、前記音発生処理部が、前記記録媒体または前記情報保存装置から記録媒体所有者の情報を取得し、その所有者情報に応じて異なった音を発生するように構成されていることを特徴とする記録媒体の筐体。
【請求項１６】
請求項２または請求項３記載の筐体において、前記音発生処理部が、前記記録媒体または前記情報保存装置から、記録残容量あるいは記録使用容量の情報、記録媒体内に記録されたデータの記録時期情報、記録媒体自体の状態の情報、記録媒体所有者の情報のうちの複数の情報を取得し、それらの情報に応じて異なった音を発生するように構成されていることを特徴とする記録媒体の筐体。
【請求項１７】
請求項１記載の筐体において、前記記録媒体が記録残容量あるいは記録使用容量が目視で把握できない記録媒体であることを特徴とする記録媒体の筐体。
【請求項１８】
請求項３ないし請求項１６のいずれか１項記載の筐体が装着可能で、前記記録媒体に対してデータの書き込みを行なうデータ書込み部と、その記録媒体自体の情報または前記データ書込み部からの記録媒体に記録されているデータに関する情報を取得する情報取得部と、その情報取得部が取得した記録媒体自体の情報を前記筐体内の情報保存装置に書き込む情報書込み部とが設けられていることを特徴とする記録装置。
【請求項１９】
請求項４または請求項５記載の記録媒体の筐体が装着可能で、前記記録媒体に対して情報の記録を行なうデータ書込み部と、前記筐体内の二次電池を充電する充電装置が設けられていることを特徴とする記録装置。
【請求項２０】
請求項３ないし請求項１６のいずれか１項記載の筐体が装着可能で、前記記録媒体に対してデータの書き込みを行なうデータ書込み部と、その記録媒体自体の情報または前記データ書込み部からの記録媒体に記録されているデータに関する情報を取得して、前記筐体内の情報保存装置に記録媒体自体の情報を書き込む手段と、前記筐体内の二次電池を充電する充電装置が設けられていることを特徴とする記録装置。
【請求項２１】
請求項１８ないし請求項２０のいずれか１項記載の記録装置において、前記記録媒体が記録残容量あるいは記録使用容量が目視で把握できない記録媒体であることを特徴とする記録装置。
【請求項２２】
記録媒体を有し、その記録媒体に記録されたデータに関する情報に基づいて音を発生する音発生手段と、前記記録媒体に記録されたデータに関する情報を保存する情報保存装置とを備えた筐体と、
その筐体が装着可能で、前記記録媒体に対してデータの書き込みを行なうデータ書込み部と、前記記録媒体に記録されたデータに関する情報を取得する情報取得部と、前記筐体内の情報保存装置に記録媒体に記録されたデータに関する情報を書き込む情報書込み部とを備えた記録装置を有し、
その記録装置に前記筐体を装着して、前記データ書込み部で記録媒体に対するデータの書き込みを行なった後、データ書込み部からの記録媒体に記録されたデータに関する情報を情報取得部が取得し、その取得した情報を前記情報書込み部が前記筐体内の情報保存装置に書込み、
その書込まれた情報に基づいて前記音発生手段から音を発することを特徴とする筐体の取扱いシステム。
【請求項２３】
請求項２２記載の筐体の取扱いシステムにおいて、前記記録媒体に記録されたデータに関する情報が、記録媒体の記録残容量あるいは記録使用容量の情報あるいは／および記録媒体内に記録されたデータの記録時期情報であることを特徴とする筐体の取扱いシステム。
【請求項２４】
記録媒体を有し、その記録媒体自体に関する情報に基づいて音を発生する音発生手段と、前記記録媒体自体に関する情報を保存する情報保存装置とを備えた筐体と、
その筐体が装着可能で、前記記録媒体に対してデータの書き込みを行なうデータ書込み部と、前記記録媒体自体に関する情報を取得する情報取得部と、前記筐体内の情報保存装置に記録媒体自体に関する情報を書き込む情報書込み部とを備えた記録装置を有し、
その記録装置に前記筐体を装着して、前記情報取得部が記録媒体から記録媒体自体に関する情報を取得し、その取得した情報を前記情報書込み部が前記筐体内の情報保存装置に書込み、
その書込まれた情報に基づいて前記音発生手段から音を発することを特徴とする筐体の取扱いシステム。
【請求項２５】
請求項２４記載の筐体の取扱いシステムにおいて、前記記録媒体自体に関する情報が、記録媒体の状態情報あるいは／および記録媒体所有者情報であることを特徴とする筐体の取扱いシステム。
【請求項２６】
請求項２２ないし請求項２４のいずれか１項記載の筐体の取扱いシステムにおいて、前記音発生手段が、前記情報保存装置に書込まれた情報に基づいて音を発生させるための処理を行なう音発生処理部と、その音を出力する発音部と、前記音発生処理部に音を発生する指示を与える音発生指示部を備えるえていることを特徴とする筐体の取扱いシステム。
【請求項２７】
請求項２２ないし請求項２６のいずれか１項記載の筐体の取扱いシステムにおいて、前記記録媒体が記録残容量あるいは記録使用容量が目視で把握できない記録媒体であることを特徴とする筐体の取扱いシステム。
【発明の詳細な説明】
【０００１】
【発明の属する技術分野】
本発明は、ハードディスク，半導体メモリ，光ディスク，光磁気ディスク，磁気テープ等の記録媒体を有する筐体および記録装置ならびにその筐体の取扱いシステムに関する。
【０００２】
【従来の技術】
従来、音声・映像を記録するために用いられていたコンパクトカセットテープやビデオカセットテープは、カセットハーフに設けられた透明窓からテープの巻回量を見ることができたため、目視で記録残容量を確認することができた。
【０００３】
しかし、ハードディスク，半導体メモリ，光ディスク，光磁気ディスク等の記録媒体は、目視で記録残容量を把握することができない。また、記録装置にこれら記録媒体を装着しなければ、記録残容量が確認できない。
【０００４】
この問題に対して従来、下記特許文献１あるいは特許文献２では、ハードディスクの筐体上にディスプレイを備え、ハードディスクに記録されているデータの情報量を表示することで解決している。また下記特許文献３では、ハードディスクの筐体上に可逆性感熱記録媒体で構成されるリライトカードを設け、そのリライトカードにハードディスクの記録残容量を記録することで解決している。
【０００５】
【特許文献１】
特開２０００−１８８７２９号公報
【０００６】
【特許文献２】
特開平８−２８７５８５号公報
【０００７】
【特許文献３】
特開２００２−２５２３７号公報
【０００８】
【発明が解決しようとする課題】
しかし前述した従来技術では、下記のような問題点があった。
・暗所では記録残容量を確認できない。
・記録残容量の情報を読み取るためにはある程度ディスプレイに目を近付ける必要がある。
・目の不自由な人は記録残容量が確認できない。
本発明の目的は、このような従来技術の欠点を解消し、記録媒体の記録残容量などが確実に確認できる記録媒体の筐体および記録装置ならびに筐体の取扱いシステムを提供することにある。
【０００９】
【課題を解決するための手段】
前記目的を達成するため本発明の第１の手段は、記録媒体を有する筐体において、前記記録媒体自体に関する情報あるいは／およびその記録媒体に記録されているデータに関する情報に基づいて音を発生する音発生手段を備えたことを特徴とするものである。
【００１０】
本発明の第２の手段は前記第１の手段において、前記音発生手段が、前記記録媒体自体に関する情報あるいは／およびその記録媒体に記録されているデータに関する情報に基づいて音を発生させるための処理を行なう音発生処理部と、その音を出力する発音部と、前記音発生処理部に音を発生する指示を与える音発生指示部を備えたことを特徴とするものである。
【００１１】
本発明の第３の手段は前記第２の手段において、前記記録媒体自体に関する情報あるいは／およびその記録媒体に記録されているデータに関する情報を保存する情報保存装置を備えたことを特徴とするものである。
【００１２】
本発明の第４の手段は前記第２の手段または第３の手段において、前記音発生手段あるいは／および前記情報保存装置に給電するための二次電池と二次電池以外の発電装置を備えたことを特徴とするものである。
【００１３】
本発明の第５の手段は前記第４の手段において、前記発電装置が太陽電池または振ることで発電する発電装置であることを特徴とするものである。
【００１４】
本発明の第６の手段は前記第２の手段または第３の手段において、前記音発生手段あるいは／および前記情報保存装置に給電するための一次電池を備えたことを特徴とするものである。
【００１５】
本発明の第７の手段は前記第２の手段において、前記音発生指示部が、スイッチ、タッチセンサー、筐体の運動を検出する運動検出装置、指紋読取装置、電波受信装置、所定波長の光を受光する受光素子のうちの少なくとも１つを備えたことを特徴とするものである。
【００１６】
本発明の第８の手段は前記第７の手段において、前記音発生指示部が指紋読取装置を備え、前記記録媒体自体に関する情報あるいは／およびその記録媒体に記録されているデータに関する情報を保存する情報保存装置を有し、前記指紋読取装置によって読み取られた指紋情報を前記情報保存装置に保存する構成になっていることを特徴とするものである。
【００１７】
本発明の第９の手段は前記第８の手段において、前記音発生処理部が、前記指紋読取装置によって読み取られた指紋情報が前記情報保存装置に保存されている指紋情報と照合して一致した時に音による表示を行うように構成されていることを特徴とするものである。
【００１８】
本発明の第１０の手段は前記第７の手段において、前記音発生指示部が複数設けられ、その複数の音発生指示部が動作した時に前記音発生処理部が音による表示を行うように構成されていることを特徴とするものである。
【００１９】
本発明の第１１の手段は前記第２の手段または第３の手段において、前記記録媒体に対するデータの書き込み中に当該記録媒体または前記情報保存装置を監視し、記録残容量が少なくなるかあるいは記録使用容量が多くなると、前記音発生処理部が音を発生するように構成されていることを特徴とするものである。
【００２０】
本発明の第１２の手段は前記第１１の手段において、前記音発生処理部が、前記記録残容量あるいは記録使用容量に応じて異なった音、例えば周波数の高い音と低い音を発生するように構成されていることを特徴とするものである。
【００２１】
本発明の第１３の手段は前記第２の手段または第３の手段において、前記音発生処理部が、前記記録媒体または前記情報保存装置から記録媒体内に記録されたデータの記録時期情報を取得し、記録時期に応じて異なった音、例えば記録時期が新しければ正弦波で濁りのない音、古くなれば正弦波に歪成分を加えて濁った音を発生するように構成されていることを特徴とするものである。
【００２２】
本発明の第１４の手段は前記第２の手段または第３の手段において、前記音発生処理部が、前記記録媒体または前記情報保存装置から記録媒体自体の状態の情報、例えば記録媒体が新品であるか中古であるかの状態情報を取得し、その状態情報に応じて異なった音、新品の場合は大きな音、中古の場合は小さい音を発生するように構成されていることを特徴とするものである。
【００２３】
本発明の第１５の手段は前記第２の手段または第３の手段において、前記音発生処理部が、前記記録媒体または前記情報保存装置から記録媒体所有者の情報、例えば父親あるいは母親の情報を取得し、その所有者情報に応じて異なった音、例えば父親が所有する記録媒体は低い音、母親が所有する記録媒体は高い音を発生するように構成されていることを特徴とするものである。
【００２４】
本発明の第１６の手段は前記第２の手段または第３の手段において、前記音発生処理部が、前記記録媒体または前記情報保存装置から、記録残容量あるいは記録使用容量の情報、記録媒体内に記録されたデータの記録時期情報、記録媒体自体の状態の情報、記録媒体所有者の情報のうちの複数の情報を取得し、それらの情報に応じて異なった音を発生するように構成されていることを特徴とするものである。
【００２５】
本発明の第１７の手段は前記第１の手段において、前記記録媒体が記録残容量あるいは記録使用容量が目視で把握できない例えばハードディスク，半導体メモリ，光ディスク，光磁気ディスクなどの記録媒体であることを特徴とするものである。
【００２６】
本発明の第１８の手段は記録装置において、前記第３の手段ないし第１６の手段の筐体が装着可能で、前記記録媒体に対してデータの書き込みを行なうデータ書込み部と、その記録媒体自体の情報を取得する情報取得部と、その情報取得部が取得した記録媒体自体の情報を前記筐体内の情報保存装置に書き込む情報書込み部とが設けられていることを特徴とするものである。
【００２７】
本発明の第１９の手段は記録装置において、前記第４の手段または第５の手段の筐体が装着可能で、前記記録媒体に対して情報の記録を行なうデータ書込み部と、前記筐体内の二次電池を充電する充電装置が設けられていることを特徴とするものである。
【００２８】
本発明の第２０の手段は記録装置において、前記第３の手段ないし第１６の手段の筐体が装着可能で、前記記録媒体に対してデータの書き込みを行なうデータ書込み部と、その記録媒体自体の情報を取得して、前記筐体内の情報保存装置に記録媒体自体の情報を書き込む手段と、前記筐体内の二次電池を充電する充電装置が設けられていることを特徴とするものである。
【００２９】
本発明の第２１の手段は前記第１８の手段ないし第２０の手段において、前記記録媒体が記録残容量あるいは記録使用容量が目視で把握できない記録媒体であることを特徴とするものである。
【００３０】
本発明の第２２の手段は、記録媒体を有し、その記録媒体に記録されたデータに関する情報に基づいて音を発生する音発生手段と、前記記録媒体に記録されたデータに関する情報を保存する情報保存装置とを備えた筐体と、
その筐体が装着可能で、前記記録媒体に対してデータの書き込みを行なうデータ書込み部と、前記記録媒体に記録されたデータに関する情報を取得する情報取得部と、前記筐体内の情報保存装置に記録媒体に記録されたデータに関する情報を書き込む情報書込み部とを備えた記録装置を有し、
その記録装置に前記筐体を装着して、前記データ書込み部で記録媒体に対するデータの書き込みを行なった後、データ書込み部からの記録媒体に記録されたデータに関する情報を情報取得部が取得し、その取得した情報を前記情報書込み部が前記筐体内の情報保存装置に書込み、
その書込まれた情報に基づいて前記音発生手段から音を発することを特徴とするものである。
【００３１】
本発明の第２３の手段は前記第２２の手段において、前記記録媒体に記録されたデータに関する情報が、記録媒体の記録残容量あるいは記録使用容量の情報あるいは／および記録媒体内に記録されたデータの記録時期情報であることを特徴とするものである。
【００３２】
本発明の第２４の手段は、記録媒体を有し、その記録媒体自体に関する情報に基づいて音を発生する音発生手段と、前記記録媒体自体に関する情報を保存する情報保存装置とを備えた筐体と、
その筐体が装着可能で、前記記録媒体に対してデータの書き込みを行なうデータ書込み部と、前記記録媒体自体に関する情報を取得する情報取得部と、前記筐体内の情報保存装置に記録媒体自体に関する情報を書き込む情報書込み部とを備えた記録装置を有し、
その記録装置に前記筐体を装着して、前記情報取得部が記録媒体から記録媒体自体に関する情報を取得し、その取得した情報を前記情報書込み部が前記筐体内の情報保存装置に書込み、
その書込まれた情報に基づいて前記音発生手段から音を発することを特徴とするものである。
【００３３】
本発明の第２５の手段は前記第２４の手段において、前記記録媒体自体に関する情報が、記録媒体の状態情報あるいは／および記録媒体所有者情報であることを特徴とするものである。
【００３４】
本発明の第２６の手段は前記第２２の手段ないし第２４の手段において、前記音発生手段が、前記情報保存装置に書込まれた情報に基づいて音を発生させるための処理を行なう音発生処理部と、その音を出力する発音部と、前記音発生処理部に音を発生する指示を与える音発生指示部を備えるえていることを特徴とするものである。
【００３５】
本発明の第２７の手段は前記第２２の手段ないし第２６の手段において、前記記録媒体が記録残容量あるいは記録使用容量が目視で把握できない記録媒体であることを特徴とするものである。
【００３６】
【発明の実施の形態】
次に本発明の実施形態を図を用いて説明する。図１は、本発明の実施形態における記録媒体の筐体と記録装置との関係を示すブロック図である。
【００３７】
記録媒体の筐体１００は例えば合成樹脂や金属の成形体からなり、その内部に記録媒体１０１、音発生処理部１０２、発音部１０３、音発生指示部１０４を備える。記録媒体１０１としては例えば半導体メモリ，ハードディスク，光ディスク，光磁気ディスク，磁気テープ、フロッピー（登録商標）ディスクなどが対象となり、特に本発明は半導体メモリ，ハードディスク，光ディスク，光磁気ディスクなど記録残容量あるいは記録使用容量が目視で把握できない記録媒体１０１を用いるものにおいて好適である。記録媒体１０１は筐体１００に交換可能に、または交換不可能に装着されている。
【００３８】
例えば記録媒体１０１として半導体メモリを用いている場合は、音発生処理部１０２は記録媒体１０１から直接に記録媒体自体に関する情報Ｄ１あるいは／および記録媒体１０１に記録されたデータに関する情報Ｄ２を取得し、発音部１０３と音発生指示部１０４によって音を発生させることができる。
【００３９】
また、記録媒体１０１に関する情報を保存する情報保存装置１０５を筐体１００に備えることもできる。情報保存装置１０５には、記録媒体１０１に関する情報（Ｄ１あるいは／およびＤ２）を記録する。例えば記録媒体１０１が光ディスクやフロッピー（登録商標）ディスクやテープ媒体であった場合、筐体１００だけではデータを読み書きすることができず、別途光ピックアップ等の読み取り・書き込み装置を備えた記録装置を必要とするが、情報保存装置１０５に予め記録媒体１０１に関する情報（Ｄ１あるいは／およびＤ２）を記録しておくことにより、筐体１００のみで記録媒体１０１に関する情報を確認することができる。情報保存装置１０５に情報を記録する方法に関しては、後述する。
【００４０】
音発生指示部１０４に関しては、いくつかの実施形態がある。その例を示せば下記の通りである。
▲１▼．押しボタン式やスライド式などの機械的なスイッチを用いる方法。
▲２▼．タッチセンサーを用いて、触れたときにスイッチをＯＮする方法。
▲３▼．筐体１００に加速度センサーを搭載し、筐体１００を例えば振った時（運動した時）にそれを検出してスイッチをＯＮする方法。
▲４▼．指紋読取装置を用いて予め登録した指紋と一致した時にスイッチをＯＮする方法。なお、記録媒体所有者の指紋情報は、予め情報保存装置１０５に登録しておくことができる。
▲５▼．電波受信装置を設け、所定周波数の電波を受信した時にスイッチをＯＮする方法。
▲６▼．受光素子を設け、所定波長の光（例えば赤外線）を受光するとスイッチをＯＮする方法。
▲７▼．前述の複数の手段を組み合わせて、スイッチをＯＮする方法。
またスイッチの状態を例えば以下のように用いることができる。
（ａ）スイッチがＯＮの間だけ音が出る。
（ｂ）スイッチをＯＮにした時に音が出て、ＯＦＦにしてからも一定時間は音が出る。
（ｃ）スイッチを一度ＯＮにすると音が出て、その後ＯＦＦにしても音が出続ける。もう一度スイッチをＯＮにすると音が止まり、その後ＯＦＦにしても音は止まったままとなる。
音発生処理部１０２と発音部１０３と音発生指示部１０４からなる音発生手段あるいは／ならびに情報保存装置１０５を動作させるためには、電源が必要となる。筐体１００の外から供給することも可能であるが、筐体内部に二次電池１０６を備えておくことにより、外部からの電源供給無しに動作させることが可能となる。
【００４１】
また二次電池１０６以外の発電装置１０７として、太陽電池あるいは振ることによって発電する発電装置を備えることもできる。発電装置１０７から直接、音発生処理部１０２、発音部１０３、音発生指示部１０４、情報保存装置１０５に電源を供給したり、二次電池１０６を充電することが可能である。あるいは、二次電池ではなく一次電池を備えることも可能である。また一次電池と二次電池を併設することも可能である。
【００４２】
次に音発生処理部１０２に関して述べる。音発生処理部１０２は、前述のように記録媒体１０１から直接情報Ｄ１，Ｄ２を取得し、あるいは情報保存装置１０５から記録媒体１０１に関する情報Ｄ１，Ｄ２，Ｄ３（後述する）を取得し、その情報Ｄ１〜Ｄ３などに基づいて音を発生させる処理を行う。
【００４３】
記録媒体１０１に対するデータの書込み中に当該記録媒体１０１を監視したり、または前記情報保存装置１０５を監視して、記録媒体１０１の記録残容量ないし記録使用容量に応じて異なった音を発生させる方法は、例えば記録残容量が多い場合は周波数の低い音、少ない場合は高い音を発生させる。
【００４４】
記録媒体１０１に記録されたデータの記録時期に応じて異なった音を発生させる方法は、例えば記録されたデータの記録日時が新しければ純粋な正弦波を出し、古くなるほど正弦波に歪成分を加えて濁った音を発生させる。あるいは記録されたデータの記録日時が新しければ新しい曲を流し、古くなるほど古い曲を流すという実施方法も考えられる。
【００４５】
記録媒体１０１の状態に応じて異なった音を発生させる方法は、例えば記録媒体１０１の使用頻度に応じて新品の記録媒体１０１の場合は大きな音、何度も記録再生された古い記録媒体１０１の場合は小さな音を発生させる。また、記録媒体１０１が壊れている場合は警告音として断続的な音を発生させることも可能である。
【００４６】
記録媒体１０１あるいは情報保存装置１０５に予め記録媒体所有者の情報を記録しておき、記録媒体１０１あるいは情報保存装置１０５からその情報を取得し、所有者に応じて異なった音を発生させる方法は、例えば家族の中で父親が所有する記録媒体１０１は低い音を、母親が所有する記録媒体１０１は高い音を発生させる。
【００４７】
これらの音声発生処理を組み合わせ、同時に複数の情報を提示することも可能である。例えば上記の例に則すると、
（イ）記録媒体１０１の記録残容量が少なく、
（ロ）記録データ中最新のものの記録日時が新しく、
（ハ）記録媒体１０１自体が古い、
場合は、周波数が高く〔前記（イ）の条件〕純粋な正弦波〔前記（ロ）の条件〕で小さな音〔前記（ハ）の条件〕を発する。
【００４８】
前記発音部１０３は、音発生処理部１０２で生成された電気信号を音波に変換する部分であり、例えばダイナミック型スピーカや圧電型スピーカなどが用いられる。
【００４９】
次に記録装置１０８に関して、図１ならびに図２を用いて説明する。記録装置１０８は図１に示すように記録媒体１０１へのデータ書込み・読み出し部１０９、記録媒体１０１に関する情報を取得する情報取得部１１０、記録媒体１０１に関する情報を書き込む情報書込み部１１１、充電部１１２などを備えている。これら各部と前記筐体１００の各部とは、矢印で示すような関係になっている。
【００５０】
図２は、情報保存装置１０５へ記録媒体１０１に関する情報を保存する処理を示すフローチャートである。
【００５１】
記録装置１０８に筐体１００（記録媒体１０１）を装着して、Ｓ２０１で筐体１００（記録媒体１０１）が装着されたかどうかの判断がなされる。そして筐体１００（記録媒体１０１）が装着された時、記録媒体１０１に関してその媒体が正常であるか破損しているかなどの記録媒体１０１自体に関する情報Ｄ１や、記録残容量や記録日時、記録媒体の使用程度などの記録媒体１０１に関する情報Ｄ２を情報取得部１１０が記録媒体１０１から取得し（Ｓ２０２）、その情報Ｄ１，Ｄ２を情報書込み部１１１に送り、情報書込み部１１１はさらにその情報Ｄ１，Ｄ２を情報保存装置１０５に書き込む（Ｓ２０３）。
【００５２】
また、データ書込み・読み出し部１０９が記録媒体１０１に対してデータの書込み・消去を行う。Ｓ２０４では記録媒体１０１に対するデータの書込み・消去が終了したかどうかの判断がなされる。記録媒体１０１に対するデータの書込み・消去とほぼ同時にその記録媒体１０１に記録されたデータに関する変更情報Ｄ３を情報取得部１１０に伝え（Ｓ２０５）、情報書き込み部１１１によって情報保存装置１０５の情報を更新する（Ｓ２０６）。
【００５３】
前記Ｓ２０４からＳ２０６までの処理は、筐体１００（記録媒体１０１）の取り出しの指示があるまでなされる（Ｓ２０６）。以上の処理により、記録媒体１０１に関して常に最新の情報を情報保存装置１０５に記録することができる。
【００５４】
このように情報保存装置１０５が常に最新の情報を記録しておくことにより、使用者が記録媒体１０１の記録残容量を知りたいときに、音発生指示部１０４を通して音発生の指示を与えると、その指示によって音発生処理部１０２が情報保存装置１０５が最新の記録媒体１０１に関する情報を読み出す。それに応じて記録残容量が多い場合は周波数の低い音を、記録残容量が少ない場合は周波数の高い音を、発音部１０３から出力して、使用者はその音を聞くことにより記録媒体１０１の記録残容量を把握することができる。
【００５５】
記録装置１０８は充電装置１１２を備えることもできる。筐体１００を記録装置１０８に装着してデータを記録・再生している間に、充電装置１１２が二次電池１０６を充電する。
【００５６】
【発明の効果】
請求項１記載の第１の手段は、記録媒体を有する筐体において、前記記録媒体自体に関する情報あるいは／およびその記録媒体に記録されているデータに関する情報に基づいて音を発生する音発生手段を備えたことを特徴とするものである。
【００５７】
この音発生手段から発せられる音によって記録媒体に関する状態（例えば記録残容量の大小、データの記録時期、記録媒体の新旧の状態など）を確認できる。これは音による確認であるから、暗所でも確認できる。文字で表示した場合読み取るためには目を近付ける必要があるが、音であるからある程度離れていても確認が可能で、目の不自由な人でも確認できる。
【００５８】
請求項２記載の第２の手段は、前記音発生手段が、前記記録媒体自体に関する情報あるいは／およびその記録媒体に記録されているデータに関する情報に基づいて音を発生させるための処理を行なう音発生処理部と、その音を出力する発音部と、前記音発生処理部に音を発生する指示を与える音発生指示部を備えたことを特徴とするものである。
【００５９】
このように音発生指示部を備えることにより、使用者は記録媒体に関する状態を確認したい時に任意にその状態を知ることができて、便利である。
【００６０】
請求項３記載の第３の手段は、記録媒体自体に関する情報あるいは／およびその記録媒体に記録されているデータに関する情報を保存する情報保存装置を備えたことを特徴とするものである。
【００６１】
例えば記録媒体が光ディスク，フロッピー（登録商標）ディスク，テープ媒体であった場合、筐体だけではデータを読み書きすることができず、別途読み取り・書き込み装置を備えた記録装置を必要とするが、情報保存装置に予め記録媒体に関する情報を記録しておくことにより、筐体のみで記録媒体に関する情報を確認することができて、便利である。
【００６２】
請求項４記載の第４の手段は、音発生手段や情報保存装置に給電するための二次電池と二次電池以外の発電装置を備えたことを特徴とするものである。
【００６３】
そのため記録媒体筐体の外部から電源を供給することなく、記録媒体筐体単体で音の発生が可能である。二次電池以外の発電装置で二次電池を充電したり、二次電池が内部短絡など何らかの原因で使用不可能になった場合は、二次電池以外の発電装置で給電可能である。
【００６４】
請求項５記載の第５の手段は、前記二次電池以外の発電装置が太陽電池または振ることで発電する発電装置であることを特徴とするものである。従って記録媒体筐体の外部から電源を供給することなく、自己発電により筐体単体で音を発生することができ、二次電池の充電も可能である。
【００６５】
請求項６記載の第６の手段は、音発生手段や情報保存装置に給電するための一次電池を備えたことを特徴とするものである。そのため記録媒体筐体の外部から電源を供給することなく、記録媒体筐体単体で音の発生が可能である。
【００６６】
請求項７記載の第７の手段は、音発生指示部が、スイッチ、タッチセンサー、筐体の運動を検出する運動検出装置、指紋読取装置、電波受信装置、所定波長の光を受光する受光素子のうちの少なくとも１つを備えたことを特徴とするものである。
【００６７】
音発生指示部がスイッチの場合、スイッチの状態に応じた処理を行うことで、音の発生及び停止の指示を音発生処理部に与えることができる。音発生指示部がタッチセンサーの場合、タッチセンサーに触れるだけで音発生の指示ができ、処理が速い。音発生指示部が筐体の運動を検出する運動検出装置の場合、筐体を振ってみて音を聞くことで記録媒体に関する情報を知るという、直感的なインタフェースが提供できる。音発生指示部が指紋読取装置の場合、指紋を媒介として使うことで記録媒体の所有者にのみに情報を知らせることができる。音発生指示部が電波受信装置の場合、記録媒体筐体から離れていても電波の受信状況に応じた指示ができ、また、記録媒体筐体の所在が分からなくなった時も電波で記録媒体筐体に指示を与えて音を発生させることにより、その所在が分かる。音発生指示部が受光素子の場合、記録媒体筐体から離れていても指示ができる。
【００６８】
請求項８記載の第８の手段は、音発生指示部が指紋読取装置を備え、記録媒体自体に関する情報あるいは／およびその記録媒体に記録されているデータに関する情報を保存する情報保存装置を有し、前記指紋読取装置によって読み取られた指紋情報を前記情報保存装置に保存する構成になっていることを特徴とするものである。このように指紋情報を情報保存装置に保存しておくことにより、記録媒体の所有者にのみに情報を知らせることができる。
【００６９】
請求項９記載の第９の手段は、音発生処理部が、前記指紋読取装置によって読み取られた指紋情報が前記情報保存装置に保存されている指紋情報と照合して一致した時に音による表示を行うように構成されていることを特徴とするものである。このように指紋の一致を確認することにより、記録媒体の所有者にのみに情報を知らせることができる。
【００７０】
請求項１０記載の第１０の手段は、音発生指示部が複数設けられ、その複数の音発生指示部が動作した時に音発生処理部が音による表示を行うように構成されていることを特徴とするものである。従って任意の音発生指示部を組み合わせて音を発生させる処理を行うことが可能となる。
【００７１】
請求項１１記載の第１１の手段は、記録媒体に対するデータの書き込み中に当該記録媒体または情報保存装置を監視し、記録残容量が少なくなるかあるいは記録使用容量が多くなると音発生処理部が音を発生するように構成されていることを特徴とするものである。従って記録残容量が少なくなるかあるいは記録使用容量が多くなった場合に警告音を発することで、記録媒体の交換時期を知ることが可能となる。
【００７２】
請求項１２記載の第１２の手段は、音発生処理部が、記録残容量あるいは記録使用容量に応じて異なった音を発生するように構成されていることを特徴とするものである。従って音の違いから記録媒体の記録残容量あるいは記録使用容量を知ることができる。
【００７３】
請求項１３記載の第１３の手段は、音発生処理部が、記録媒体または情報保存装置から記録媒体内に記録されたデータの記録時期情報を取得し、記録時期に応じて異なった音を発生するように構成されていることを特徴とするものである。従って音の違いから記録媒体内のデータの新しさを把握することができる。
【００７４】
請求項１４記載の第１４の手段は、音発生処理部が、記録媒体または情報保存装置から記録媒体自体の状態の情報を取得し、その状態情報に応じて異なった音を発生するように構成されていることを特徴とするものである。従って音の違いから記録媒体自体の新旧などの状態を把握することができる。
【００７５】
請求項１５記載の第１５の手段は、音発生処理部が、記録媒体または情報保存装置から記録媒体所有者の情報を取得し、その所有者情報に応じて異なった音を発生するように構成されていることを特徴とするものである。従って音の違いから記録媒体の所有者を把握することができる。
【００７６】
請求項１６記載の第１６の手段は、音発生処理部が、記録媒体または情報保存装置から、記録残容量あるいは記録使用容量の情報、記録媒体内に記録されたデータの記録時期情報、記録媒体自体の状態の情報、記録媒体所有者の情報のうちの複数の情報を取得し、それらの情報に応じて異なった音を発生するように構成されていることを特徴とするものである。従って任意のものを組み合わせて音を発生させることにより、その音の内容から記録媒体に関して複数の情報を一度に得ることができる。
【００７７】
請求項１７記載の第１７の手段は、記録媒体が記録残容量あるいは記録使用容量が目視で把握できない記録媒体であることを特徴とするものである。このように記録残容量あるいは記録使用容量が目視で把握できない記録媒体であっても発生する音の内容により、記録媒体の記録残容量あるいは記録使用容量を確実に把握することができる。
【００７８】
請求項１８記載の第１８の手段は、記録装置において前記記録媒体筐体が装着可能で、記録媒体に対してデータの書き込みを行なうデータ書込み部と、その記録媒体自体の情報または前記データ書込み部からの記録媒体に記録されているデータに関する情報を取得する情報取得部と、その情報取得部が取得した記録媒体自体の情報を前記筐体内の情報保存装置に書き込む情報書込み部とが設けられていることを特徴とするものである。
【００７９】
従って本発明による記録媒体筐体が装着されている時、その記録媒体に関する情報を取得し、それを筐体上の情報保存装置に記録する機能を有することにより、常に最新の情報を情報保存装置は保存することができ、その最新の情報に基づいて記録残容量などを適切に把握することができる。
【００８０】
請求項１９記載の第１９の手段は、記録装置に筐体内の二次電池を充電する充電装置が設けられていることを特徴とするものである。従ってデータの書込み・読み出し中にでも筐体内の二次電池への充電を行うことができる。
【００８１】
請求項２０記載の第２０の手段は、記録装置において前記記録媒体筐体が装着可能で、記録媒体に対してデータの書き込みを行なうデータ書込み部と、その記録媒体自体の情報または前記データ書込み部からの記録媒体に記録されているデータに関する情報を取得して、筐体内の情報保存装置に記録媒体自体の情報を書き込む手段と、筐体内の二次電池を充電する充電装置が設けられていることを特徴とするものである。
【００８２】
従って本発明による記録媒体筐体が装着されている時、その記録媒体に関する情報を取得し、それを筐体上の情報保存装置に記録する機能を有することにより、常に最新の情報を情報保存装置は保存することができ、その最新の情報に基づいて記録残容量などを適切に把握することができる。しかもデータの書込み・読み出し中にでも筐体内の二次電池への充電を行うことができる。
【００８３】
請求項２１記載の第２１の手段は、記録媒体が記録残容量あるいは記録使用容量が目視で把握できない記録媒体であることを特徴とするものである。このように記録残容量あるいは記録使用容量が目視で把握できない記録媒体であっても発生する音の内容により、記録媒体の記録残容量あるいは記録使用容量を確実に把握することができる。
【００８４】
請求項２２記載の第２２の手段は、記録媒体を有し、その記録媒体に記録されたデータに関する情報に基づいて音を発生する音発生手段と、前記記録媒体に記録されたデータに関する情報を保存する情報保存装置とを備えた筐体と、
その筐体が装着可能で、前記記録媒体に対してデータの書き込みを行なうデータ書込み部と、前記記録媒体に記録されたデータに関する情報を取得する情報取得部と、前記筐体内の情報保存装置に記録媒体に記録されたデータに関する情報を書き込む情報書込み部とを備えた記録装置を有し、
その記録装置に前記筐体を装着して、前記データ書込み部で記録媒体に対するデータの書き込みを行なった後、データ書込み部からの記録媒体に記録されたデータに関する情報を情報取得部が取得し、その取得した情報を前記情報書込み部が前記筐体内の情報保存装置に書込み、
その書込まれた情報に基づいて前記音発生手段から音を発することを特徴とするものである。
【００８５】
この音発生手段から発せられる音によって記録媒体に記録されたデータに関する情報（例えば記録残容量の大小、データの記録時期など）を確認できる。これは音による確認であるから、暗所でも確認できる。文字で表示した場合読み取るためには目を近付ける必要があるが、音であるからある程度離れていても確認が可能で、目の不自由な人でも確認できる筐体の取扱いシステムを提供することができる。
【００８６】
請求項２３記載の第２３の手段は、記録媒体に記録されたデータに関する情報が、記録媒体の記録残容量あるいは記録使用容量の情報あるいは／および記録媒体内に記録されたデータの記録時期情報であることを特徴とするものである。これらの情報により記録媒体の交換の必要性あるいは記録データの新旧を把握することができる。
【００８７】
請求項２４記載の第２４の手段は、記録媒体を有し、その記録媒体自体に関する情報に基づいて音を発生する音発生手段と、前記記録媒体自体に関する情報を保存する情報保存装置とを備えた筐体と、
その筐体が装着可能で、前記記録媒体に対してデータの書き込みを行なうデータ書込み部と、前記記録媒体自体に関する情報を取得する情報取得部と、前記筐体内の情報保存装置に記録媒体自体に関する情報を書き込む情報書込み部とを備えた記録装置を有し、
その記録装置に前記筐体を装着して、前記情報取得部が記録媒体から記録媒体自体に関する情報を取得し、その取得した情報を前記情報書込み部が前記筐体内の情報保存装置に書込み、
その書込まれた情報に基づいて前記音発生手段から音を発することを特徴とするものである。
【００８８】
この音発生手段から発せられる音によって記録媒体自体に関する情報（例えば記録媒体の新旧の状態情報、記録媒体の所有者の情報など）を確認できる。これは音による確認であるから、暗所でも確認できる。文字で表示した場合読み取るためには目を近付ける必要があるが、音であるからある程度離れていても確認が可能で、目の不自由な人でも確認できる筐体の取扱いシステムを提供することができる。
【００８９】
請求項２５記載の第２５の手段は、記録媒体自体に関する情報が、記録媒体の状態情報あるいは／および記録媒体所有者情報であることを特徴とするものである。これらの情報により記録媒体の交換の必要性あるいは記録媒体の所有者を把握することができる。
【００９０】
請求項２６記載の第２６の手段は、音発生手段が、情報保存装置に書込まれた情報に基づいて音を発生させるための処理を行なう音発生処理部と、その音を出力する発音部と、前記音発生処理部に音を発生する指示を与える音発生指示部を備えるえていることを特徴とするものである。このように音発生指示部を備えることにより、使用者は記録媒体に関する状態を確認したい時に任意にその状態を知ることができて、便利である。
【００９１】
請求項２７記載の第２７の手段は、記録媒体が記録残容量あるいは記録使用容量が目視で把握できない記録媒体であることを特徴とするものである。このように記録残容量あるいは記録使用容量が目視で把握できない記録媒体であっても発生する音の内容により、記録媒体の記録残容量あるいは記録使用容量を確実に把握することができるなどの特長を有している。
【図面の簡単な説明】
【図１】本発明の実施形態に係る記録媒体の筐体と記録装置との関係を示すブロック図である。
【図２】情報保存装置に記録媒体に関する情報を保存する処理を説明するためのフローチャートである。
【符号の説明】
１００：記録媒体の筐体、１０１：記録媒体、１０２：音発生処理部、１０３：発音部、１０４：音発生指示部、１０５：記録媒体自体の情報保存装置、１０６：二次電池、１０７：発電装置、１０８：記録装置、１０９：データ書込み・読み込み部、１１０：情報取得部、１１１：情報書込み部、１１２：充電装置、Ｄ１〜Ｄ３：記録媒体に関する情報。
【図１】
2004335023.tif 000003
【図２】
2004335023.tif 000004